(57)【要約】【課題】商品サンプルや小物商品等の物品を提供しながらも、開封することにより視認可能となる情報を確実に通知する。【解決手段】互いに剥離可能に貼着された表面片１０及び中間片２０と、中間片２０との間に物品を封入し、該物品の周囲にて中間片２０と貼着された裏面片３０とを有し、表面片１０の中間片２０との貼着面に通知情報１２を印字し、中間片２０の物品に対向する領域に、ミシン目２１によって他の領域から分離される分離部２３を設ける。【選択図】図１
2007168869.tif 000002
【特許請求の範囲】
【請求項１】
物品が封入された封入体であって、
互いに剥離可能に貼着された第１及び第２のシートと、
前記第２のシートとの間に前記物品を封入し、該物品の周囲にて前記第２のシートと貼着された第３のシートとを有し、
前記第１のシートと第２のシートとの貼着面の少なくとも一方に情報が付与され、
前記第２のシートは、前記物品に対向する領域に取り出し穴形成手段を有する封入体。
【発明の詳細な説明】
【技術分野】
【０００１】
本発明は、物品が封入された封入体に関し、特に、その開封構造に関する。
【背景技術】
【０００２】
従来より、ダイレクトメール等といった郵送等によって送付される印刷物においては、差出人が受取人に通知したい情報が文字や画像として所定の用紙に印刷されており、そのほとんどが、封筒等に封入、封緘され、封入体として受取人に送付されている。このような封入体は、受取人が封筒を開封して封筒等に封入された印刷物を閲覧することによって、差出人が通知したい情報が受取人に通知されることになる。
【０００３】
また、近年においては、商品サンプルや小物商品等の物品を上述したような印刷物とともに封筒等に封入し、送付することが行われている（例えば、特許文献１参照。）。このように、商品サンプルや小物商品等の物品を情報が印刷された印刷物とともに送付した場合、この封入体の受取人は、印刷物に印刷された情報を閲覧するだけでなく、実際に商品サンプルや小物商品を手にすることができ、それにより、商品等の広告効果を向上させることができる。
【特許文献１】特開２００４−１０６９２５号公報
【発明の開示】
【発明が解決しようとする課題】
【０００４】
しかしながら、上述したように商品サンプルや小物商品等の物品が印刷物とともに封筒等に封入された封入体においては、開封された後、封入された商品サンプルや小物商品等の物品のみが封筒等から取り出され、情報が印刷された印刷物が封筒等から取り出されずに廃棄されてしまう虞れがあり、その場合、印刷物に印刷された情報を受取人に通知することができないという問題点がある。
【０００５】
本発明は、上述したような従来の技術が有する問題点に鑑みてなされたものであって、商品サンプルや小物商品等の物品を提供しながらも、開封することにより視認可能となる情報を確実に通知することができる封入体を提供することを目的とする。
【課題を解決するための手段】
【０００６】
上記目的を達成するために本発明は、
物品が封入された封入体であって、
互いに剥離可能に貼着された第１及び第２のシートと、
前記第２のシートとの間に前記物品を封入し、該物品の周囲にて前記第２のシートと貼着された第３のシートとを有し、
前記第１のシートと第２のシートとの貼着面の少なくとも一方に情報が付与され、
前記第２のシートは、前記物品に対向する領域に取り出し穴形成手段を有する。
【０００７】
上記のように構成された本発明においては、第２のシートと第３のシートとの間に封入された物品が取り出される場合、まず、第１のシートと第２のシートとが剥離される。第１のシートと第２のシートとの貼着面の少なくとも一方には情報が付与されているため、この情報が視認可能となって通知される。その後、第２のシートに設けられた取り出し穴形成手段を用いて第２のシートに物品の取り出し穴が形成され、第２のシートと第３のシートとの間に封入された物品がこの取り出し穴から取り出されることになる。
【０００８】
このように、第２のシートと第３のシートとの間に封入された物品を取り出すために第１のシートと第２のシートとが剥離されると、付与された情報が視認可能となって通知されるので、開封することにより視認可能となる情報が確実に通知されることになる。また、その情報は、第１のシートと第２のシートの貼着面の少なくとも一方の全面に付与することができ、それにより、多くの情報の通知が可能となる。第１のシートと第２のシートとの貼着面の少なくとも一方に付与される情報として、例えば、封入された物品とは無関係の情報を付与しておけば、封入された物品が取り出される際に、封入された物品以外の情報を提供することができる。
【０００９】
また、第１のシートと第２のシートとの間や第２のシートと第３のシートとの間、または、第１のシートや第３のシートの外表面に、剪断困難な材料からなる第４のシートを介在しておけば、封入体を破れにくくすることができる。これにより、第１、第２及び第３のシートが紙等の破れやすい基材からなるであっても、全体が強引に破られる可能性が無くなり、第１のシートと第２のシートとの剥離動作へと誘導することができる。
【発明の効果】
【００１０】
以上説明したように本発明においては、互いに剥離可能に貼着された第１及び第２のシートと、第２のシートとの間に物品を封入し、該物品の周囲にて第２のシートと貼着された第３のシートとを有し、第１のシートと第２のシートとの貼着面の少なくとも一方に情報が付与され、第２のシートの物品に対向する領域に取り出し穴形成手段が設けられた構成としたため、商品サンプルや小物商品等の物品を提供しながらも、開封することにより視認可能となる情報を確実に通知することができる。また、物品を取り出す取り出し穴を形成するための取り出し穴形成手段が、第１のシートと第３のシートとの間に介在する第２のシートに設けられているため、開封されていない状態においては取り出し穴形成手段が表出しておらず、開封されていない状態において取り出し穴形成手段によって取り出し穴が形成されて物品が封入体から脱落してしまうことを防止することができる。
【発明を実施するための最良の形態】
【００１１】
以下に、本発明の実施の形態について図面を参照して説明する。
【００１２】
（第１の実施の形態）
図１は、本発明の封入体の第１の実施の形態を示す図であり、（ａ）は見開いた状態における表面から見た図、（ｂ）は見開いた状態における裏面から見た図、（ｃ）は（ａ）に示したＡ−Ａ’断面図である。なお、図１に示した状態おいては、封入体が見開かれており、物品は封入されていない。
【００１３】
本形態は図１に示すように、第１のシートとなる表面片１０と第２のシートとなる中間片２０と第３のシートとなる裏面片３０とが折り部４０ａ，４０ｂを介して折り畳み可能に連接して構成されており、この表面片１０と中間片２０と裏面片３０とが折り部４０ａ，４０ｂを介してＺ状に折り畳まれ、中間片２０と裏面片３０との間に物品が封入される。折り部４０ａ，４０ｂは、筋押しによる折り線やミシン目等によって形成されている。
【００１４】
表面片１０は、その表面にこの封入体の送付先の住所や氏名からなる宛先情報１１が印字されており、裏面には、封入体の送付先に通知したい通知情報１２が印字によって付与されている。また、通知情報１２が印字された面には、所定の領域を除く部分に貼着後の剥離が可能な粘着剤５０ａが塗布されている。この粘着剤５０ａとしては、例えば、液中にこの液と混じり合わない樹脂が微粒子となって分散している非感圧性エマルジョンタイプのものが考えられる。
【００１５】
中間片２０は、裏面片３０との間にて封入される物品に対向する領域に他の領域から分離可能な分離部２３が設けられている。この分離部２３は、中間片２０に形成された取り出し穴形成手段となるミシン目２１によって中間片２０の他の領域から分離可能となる。この分離部２３には、その表裏に、封入体の送付先に通知したい通知情報２５ａ，２５ｂがそれぞれ印字によって付与されている。また、分離部２３の角部の１つには切り込み２２が形成されており、分離部２３を中間片２０の他の領域から分離する場合、この切り込み２２を摘んで分離していくことになる。ここで、上述したように、表面片１０の裏面には、所定の領域を除く部分に粘着剤５０ａが塗布されているが、粘着剤５０ａは、表面片１０と中間片２０とが折り部４０ａを介して折り畳まれた場合に分離部２３に対向する領域を除く部分に塗布されている。
【００１６】
裏面片３０は、その表面のうち、折り部４０ｂを介して折り畳まれた場合に中間片２０の分離部２３に対向する領域に、封入体の送付先に通知したい通知情報３１が印字によって付与されており、また、その領域を除く部分に、貼着後の剥離が不可能あるいは困難な粘着剤５０ｂが塗布されている。この貼着後の剥離が不可能あるいは困難な粘着剤５０ｂとしては、例えば、自着性を有し他着性を有さない擬似接着用粘着剤等が用いられる。この粘着剤を厚塗り、または強圧により接着することにより、適時剥離可能あるいは困難に粘着させることができる。このような粘着剤を用いれば、中間片２０と裏面片３０の間に封入された物品が中間片２０や裏面片３０に不用意に貼り付いてしまうことがなくなるという利点がある。
【００１７】
以下に、上記のように構成された封入体の利用方法について説明する。
【００１８】
図２は、図１に示した封入体が送付される際の状態を示す図であり、（ａ）は表面から見た図、（ｂ）は（ａ）に示したＡ−Ａ’断面図である。
【００１９】
本形態の封入体は図２に示すように、送付状態においては、この表面片１０と中間片２０と裏面片３０とが折り部４０ａ，４０ｂを介してＺ状に折り畳まれ、中間片２０と裏面片３０との間に物品である商品サンプル６０が封入される。表面片１０と中間片２０とは、表面片１０の裏面に塗布された粘着剤５０ａによって剥離可能に貼着され、中間片２０と裏面片３０とは、裏面片３０の表面に塗布された粘着剤５０ｂによって貼着される。
【００２０】
本形態の封入体はこのような形態となって、表面片１０に印字された宛先情報１１に従って送付先に送付され、中間片２０と裏面片３０との間に封入された商品サンプル６０が、中間片２０に形成されたミシン目２１が破断されることにより取り出されることになるが、ミシン目２１が形成された中間片２０は、送付状態においては表面片１０と裏面片３０との間に介在しており表出していない。そのため、送付状態において、ミシン目２１が破断されて商品サンプル６０が封入体から脱落してしまうことを防止することができる。
【００２１】
図３は、図２に示した状態にて送付された封入体が開封される状態を説明するための図である。
【００２２】
図２に示したような状態で送付された封入体が送付先にて受け取られると、まず、表面片１０と中間片２０とが剥離される（図３（ａ））。表面片１０と中間片２０とを貼着している粘着剤５０ａは、上述したように貼着後の剥離が可能なものであるため、互いに貼着された表面片１０と中間片２０とを剥離することができる。
【００２３】
表面片１０と中間片２０とが剥離されると、表面片１０の裏面に印字された通知情報１２と中間片２０の裏面に印字された通知情報２５ｂとがそれぞれ視認可能となる（図３（ｂ））。これにより、封入体の送付先に表面片１０及び中間片２０の裏面に印字された通知情報１２，２５ｂをそれぞれ通知することができる。また、通知情報１２，２５ｂを表面片１０あるいは中間片２０の裏面の全面に印字しておけば、多くの情報を通知することができる。この通知情報１２，２５ｂとしては、例えば、中間片２０と裏面片３０との間に封入された商品サンプル６０とは無関係な情報や、商品サンプル６０とは無関係な情報が掲載されたサイトのＵＲＬ等が考えられ、その場合、その後に取り出す商品サンプル６０とは無関係の情報を提供することができる。また、通知情報２５ｂとして、ミシン目２１を破断することにより分離部２３を分離すれば商品サンプル６０を取り出すことができる旨を記載しておいてもよい。
【００２４】
その後、中間片２０と裏面片３０との間に封入された商品サンプル６０を取り出すために、中間片２０に形成された切り込み２２が摘まれ、ミシン目２１が破断されていくと（図３（ｃ））、ミシン目２１に囲まれた分離部２３が中間片２０の他の領域から分離し、それにより、商品サンプル６０を取り出すための取り出し穴２４が形成され、この取り出し穴２４を介して商品サンプル６０が表出する（図３（ｄ））。また、この際、分離部２３の裏面片３０と対向する面に印字された通知情報２５ａが視認可能となって通知される。
【００２５】
そして、商品サンプル６０がこの取り出し穴２４から取り出されると、裏面片３０の分離部２３に対向する領域に印字された通知情報３１が視認可能となる（図３（ｅ））。これにより、封入体の送付先に裏面片３０の表面に印字された通知情報３１を通知することができる。この通知情報３１としては、例えば、取り出し穴２４から取り出された商品サンプル６０の使用説明情報等、商品サンプル６０に関する情報が考えられ、それにより、商品サンプル６０を取り出した際に、その商品サンプル６０に関する情報を提供することができる。
【００２６】
このように本形態においては、中間片２０と裏面片３０との間に封入された商品サンプル６０を取り出すためには、表面片１０と中間片２０とを剥離しなければならず、表面片１０と中間片２０とを剥離した場合、表面片１０の裏面に印字された通知情報１２が視認可能となって通知されるので、開封することにより視認可能となる通知情報１２を確実に通知することができる。すなわち、商品サンプル６０を取り出すためには、特定の開封誘導手段を通過しなければならず、その途中に情報を配することにより、封入体の受取人が封入体を開封する際に、通知したい情報が受取人の視野に必ず入るようにしてその情報を確実に通知することができる。
【００２７】
（第２の実施の形態）
図４は、本発明の封入体の第２の実施の形態を示す図であり、（ａ）は見開いた状態における表面から見た図、（ｂ）は見開いた状態における裏面から見た図、（ｃ）は（ａ）に示したＡ−Ａ’断面図である。なお、図４に示した状態おいては、封入体が見開かれており、物品は封入されていない。
【００２８】
本形態は図４に示すように、第１のシートとなる表面片１１０と第２のシートとなる中間片１２０と第３のシートとなる裏面片１３０とが折り部１４０ａ，１４０ｂを介して折り畳み可能に連接して構成されており、この表面片１１０と中間片１２０と裏面片１３０とが折り部１４０ａ，１４０ｂを介してＺ状に折り畳まれ、中間片１２０と裏面片１３０との間に物品が封入される。折り部１４０ａ，１４０ｂは、筋押しによる折り線やミシン目等によって形成されている。
【００２９】
表面片１１０は、その表面にこの封入体の送付先の住所や氏名からなる宛先情報１１１が印字されており、裏面には、封入体の送付先に通知したい通知情報１１２が印字によって付与されている。また、通知情報１１２が印字された面には、所定の領域を除く部分に貼着後の剥離が可能な擬似接着層１５０ａが設けられている。擬似接着層１５０ａは、表面片１１０のベース基材上に目止剤が塗布されることにより形成された目止層１５１と、この目止層１５１上に剥離剤が塗布されることにより形成された剥離層１５２と、この剥離層１５２上に透明なニスが塗布されることにより形成されたニス層１５３と、ニス層１５３上に塗布された粘着剤１５４とから構成されており、剥離層１５２とニス層１５３との境界面にて剥離可能及び再貼着不可能となっている。
【００３０】
中間片１２０は、裏面片１３０との間にて封入される物品に対向する領域に、取り出し穴形成手段となる２本のミシン目１２１が互いに交差するように形成されている。ここで、上述したように、表面片１１０の裏面には、所定の領域を除く部分に擬似接着層１５０ａが設けられているが、擬似接着層１５０ａは、表面片１１０と中間片１２０とが折り部１４０ａを介して折り畳まれた場合に、中間片１２０の物品が封入される領域に対向する領域を除く部分に塗布されている。
【００３１】
裏面片１３０は、その表面のうち、中間片１２０との間にて物品が封入される領域に、封入体の送付先に通知したい通知情報１３１が印字によって付与されている。また、裏面片１３０の通知情報１３１が印字された面には、剪断困難な材料となる樹脂からなる第４のシートである透明な樹脂シート１７０が透明な粘着剤１５０ｃを介して積層、貼着されている。また、この樹脂シート１７０上には、裏面片１３０の通知情報１３１が印字された領域を除く部分に、貼着後の剥離が不可能あるいは困難な粘着剤１５０ｂが塗布されている。この貼着後の剥離が不可能あるいは困難な粘着剤１５０ｂとしては、例えば、自着性を有し他着性を有さない擬似接着用粘着剤等が用いられる。この粘着剤を厚塗り、または強圧により接着することにより、適時剥離可能あるいは困難に粘着させることができる。このような粘着剤を用いれば、中間片１２０と裏面片１３０の間に封入された物品が中間片１２０や樹脂シート１７０に不用意に貼り付いてしまうことがなくなるという利点がある。
【００３２】
以下に、上記のように構成された封入体の利用方法について説明する。
【００３３】
図５は、図４に示した封入体が送付される際の状態を示す図であり、（ａ）は表面から見た図、（ｂ）は（ａ）に示したＡ−Ａ’断面図である。
【００３４】
本形態の封入体は図５に示すように、送付状態においては、この表面片１１０と中間片１２０と裏面片１３０とが折り部１４０ａ，１４０ｂを介してＺ状に折り畳まれ、中間片１２０と裏面片１３０との間に物品である商品サンプル１６０が封入される。表面片１１０と中間片１２０とは、表面片１１０の裏面に設けられた擬似接着層１５０ａによって剥離可能に貼着され、中間片１２０と裏面片１３０とは、裏面片１３０の表面に積層された樹脂シート１７０上に塗布された粘着剤１５０ｂによって貼着される。
【００３５】
本形態の封入体はこのような形態となって、表面片１１０に印字された宛先情報１１１に従って送付先に送付され、中間片１２０と裏面片１３０との間に封入された商品サンプル１６０が、中間片１２０に形成されたミシン目１２１が破断されることにより取り出されることになるが、ミシン目１２１が形成された中間片１２０は、送付状態においては表面片１１０と裏面片１３０との間に介在しており表出していない。そのため、送付状態において、ミシン目１２１が破断されて商品サンプル１６０が封入体から脱落してしまうことを防止することができる。また、裏面片１３０には、剪断困難な材料となる樹脂からなる樹脂シート１７０が粘着剤１５０ｃを介して積層、貼着されているため、封入体を破れにくくすることができる。
【００３６】
図６は、図５に示した状態にて送付された封入体が開封される状態を説明するための図である。
【００３７】
図５に示したような状態で送付された封入体が送付先にて受け取られると、まず、表面片１１０と中間片１２０とが剥離されていき（図６（ａ））、表面片１０の裏面に印字された通知情報１２が視認可能となる（図６（ｂ））。
【００３８】
図７は、図６（ｂ）に示したＡ−Ａ’断面図である。
【００３９】
表面片１１０と中間片１２０とが剥離されると、擬似接着層１５０ａが剥離層１５２とニス層１５３との境界面にて剥離可能な擬似接着構造であるため、図７に示すように、剥離層１５２とニス層１５３との境界面にて剥離し、それにより、ニス層１５３が粘着剤１５４によって中間片１２０に貼着されたままとなり、また、目止層１５１及び剥離層１５２が表面片１１０とともに中間片１２０から剥離される。
【００４０】
これにより、封入体の送付先に表面片１１０の裏面に印字された通知情報１１２を通知することができる。また、通知情報１１２を表面片１１０の裏面の全面に印字しておけば、多くの情報を通知することができる。この通知情報１１２としては、例えば、中間片１２０と裏面片１３０との間に封入された商品サンプル１６０とは無関係な情報や、商品サンプル１６０とは無関係な情報が掲載されたサイトのＵＲＬ等が考えられ、その場合、その後に取り出す商品サンプル１６０とは無関係の情報を提供することができる。
【００４１】
その後、中間片１２０と裏面片１３０との間に封入された商品サンプル１６０を取り出すために、中間片１２０に形成されたミシン目１２１が破断されていき（図６（ｃ））、中間片１２０のミシン目１２１が破断された領域が捲られると、商品サンプル１６０を取り出すための取り出し穴１２４が形成され、この取り出し穴１２４を介して商品サンプル１６０が表出する（図６（ｄ））。
【００４２】
そして、商品サンプル１６０がこの取り出し穴１２４から取り出されると、裏面片１３０の商品サンプル１６０が封入されていた領域に印字された通知情報１３１が視認可能となる（図６（ｅ））。なお、裏面片１３０上には、粘着剤１５０ｃを介して樹脂シート１７０が積層、貼着されているが、樹脂シート１７０及び粘着剤１５０ｃは透明な材料から構成されているため、裏面片１３０に印字された通知情報１３１は樹脂シート１７０及び粘着剤１５０ｃを介して視認可能となる。これにより、封入体の送付先に裏面片１３０の表面に印字された通知情報１３１を通知することができる。この通知情報１３１としては、例えば、取り出し穴１２４から取り出された商品サンプル１６０の使用説明情報等、商品サンプル１６０に関する情報が考えられ、それにより、商品サンプル１６０を取り出した際に、その商品サンプル１６０に関する情報を提供することができる。
【００４３】
このように本形態においては、中間片１２０と裏面片１３０との間に封入された商品サンプル１６０を取り出すためには、表面片１１０と中間片１２０とを剥離しなければならず、表面片１１０と中間片１２０とを剥離した場合、表面片１１０の裏面に印字された通知情報１１２が視認可能となって通知されるので、開封することにより視認可能となる通知情報１１２を確実に通知することができる。
【００４４】
なお、上述した２つの実施の形態においては、通知情報１２，１１２が表面片１０，１１０の中間片２０，１２０との貼着面に印字されているが、表面片１０，１１０ではなく中間片２０，１２０の表面片１０，１１０との貼着面に通知情報１２，１１２を印字しておくことや、表面片１０，１１０及び中間片２０，１２０の互いの貼着面にそれぞれ通知情報１２，１１２を印字しておく構成とすることも考えられる。
【００４５】
また、表面片１０の裏面に塗布された粘着剤５０ａや、表面片１１０の裏面に設けられた擬似接着層１５０ａは、表面片１０，１１０の裏面の全面に塗布あるいは設けられていてもよい。
【００４６】
また、上述した２つの実施の形態においては、表面片１０，１１０と中間片２０，１２０と裏面片３０，１３０とが折り部４０ａ，４０ｂ，１４０ａ，１４０ｂを介して互いに連接しているが、これら表面片１０，１１０と中間片２０，１２０と裏面片３０，１３０とが連接していない構成とすることも考えられる。
【００４７】
また、上述した２つの実施の形態に示したもののように、表面片１０，１１０と中間片２０，１２０とが剥離可能に貼着された構成ではなく、表面片１０，１１０と中間片２０，１２０とが剥離困難あるいは剥離不可能に貼着された構成とすることも考えられる。その場合、表面片１０，１１０のミシン目２１，１２１に対向する領域に、ミシン目２１，１２１と同様のミシン目を設けるとともに、この領域においては表面片１０，１１０と中間片２０，１２０とを貼着せずに中間片２０，１２０に通知情報を印字しておくことになる。このような構成において、中間片２０，１２０と裏面片３０，１３０との間に封入された商品サンプル６０，１６０が取り出される場合、まず、表面片１０，１１０に形成されたミシン目が破断される。すると、中間片２０，１２０に印字された通知情報が視認可能となり、その後、中間片２０，１２０に形成されたミシン目２１，１２１が破断されることにより、商品サンプル６０，１６０が取り出されることになる。このように、表面片１０，１１０が中間片２０，１２０から全部剥離されなくてもよく、少なくとも表面片１０，１１０の一部が中間片２０，１２０から剥離されればよい。
【図面の簡単な説明】
【００４８】
【図１】本発明の封入体の第１の実施の形態を示す図であり、（ａ）は見開いた状態における表面から見た図、（ｂ）は見開いた状態における裏面から見た図、（ｃ）は（ａ）に示したＡ−Ａ’断面図である。
【図２】図１に示した封入体が送付される際の状態を示す図であり、（ａ）は表面から見た図、（ｂ）は（ａ）に示したＡ−Ａ’断面図である。
【図３】図２に示した状態にて送付された封入体が開封される状態を説明するための図である。
【図４】本発明の封入体の第２の実施の形態を示す図であり、（ａ）は見開いた状態における表面から見た図、（ｂ）は見開いた状態における裏面から見た図、（ｃ）は（ａ）に示したＡ−Ａ’断面図である。
【図５】図４に示した封入体が送付される際の状態を示す図であり、（ａ）は表面から見た図、（ｂ）は（ａ）に示したＡ−Ａ’断面図である。
【図６】図５に示した状態にて送付された封入体が開封される状態を説明するための図である。
【図７】図６（ｂ）に示したＡ−Ａ’断面図である。
【符号の説明】
【００４９】
１０，１１０    表面片
１１，１１１    宛先情報
１２，２５ａ，２５ｂ，３１，１１２，１３１    通知情報
２０，１２０    中間片
２１，１２１    ミシン目
２２    切り込み
２３    分離部
２４，１２４    取り出し穴
３０，１３０    表面片
４０ａ，４０ｂ，１４０ａ，１４０ｂ    折り部
５０ａ，５０ｂ，１５０ｂ，１５０ｃ，１５４    粘着剤
６０，１６０    商品サンプル
１５０ａ    擬似接着層
１５１    目止層
１５２    剥離層
１５３    ニス層
１７０    樹脂シート
【図１】
2007168869.tif 000003
【図２】
2007168869.tif 000004
【図３】
2007168869.tif 000005
【図４】
2007168869.tif 000006
【図５】
2007168869.tif 000007
【図６】
2007168869.tif 000008
【図７】
2007168869.tif 000009